(57)【特許請求の範囲】
【請求項１】
第１端末と、第２端末と、施設の監視システムと、前記施設および／または該施設の一部に入るための情報を発行するセキュリティセンタとを備えた通信システムにおける情報発行方法であって、
前記監視システムにおいて、前記施設の訪問者に関する情報を取得するステップと、
前記監視システムから前記第１端末に、前記訪問者に関する情報を送信するステップと、
前記第１端末において、前記訪問者に関する情報を出力するステップと、
前記第１端末から前記セキュリティセンタに、前記施設および／または該施設の一部に入るための情報を前記第２端末に対して発行するようにとの指示を送信するステップと、
前記セキュリティセンタから前記第２端末に対して、前記施設および／または該施設の一部に入るための情報を発行するステップと
を備えることを特徴とする情報発行方法。
【請求項２】
第１端末と、第２端末と、施設の監視システムと、前記施設および／または該施設の一部に入るための情報を発行するセキュリティセンタとを備えた通信システムにおける情報発行方法であって、
前記監視システムにおいて、前記施設の訪問者に関する情報を取得するステップと、
前記監視システムから前記第１端末に、前記訪問者に関する情報を送信するステップと、
前記第１端末において、前記訪問者に関する情報に基づいて前記訪問者の認証を行うステップと、
前記第１端末において、前記認証の結果を出力するステップと、
前記第１端末から前記セキュリティセンタに、前記施設および／または該施設の一部に入るための情報を前記第２端末に対して発行するようにとの指示を送信するステップと、
前記セキュリティセンタから前記第２端末に対して、前記施設および／または該施設の一部に入るための情報を発行するステップと
を備えることを特徴とする情報発行方法。
【請求項３】
第１端末と、第２端末と、施設の監視システムと、前記施設および／または該施設の一部に入るための情報を発行するセキュリティセンタとを備えた通信システムであって、
前記監視システムは、
前記施設の訪問者に関する情報を取得する手段と、
前記第１端末に、前記訪問者に関する情報を送信する手段とを備え、
前記第１端末は、
前記監視システムから、前記訪問者に関する情報を受信する手段と、
前記訪問者に関する情報を出力する手段と、
前記セキュリティセンタに、前記施設および／または該施設の一部に入るための情報を前記第２端末に対して発行するようにとの指示を送信する手段とを備え、
前記セキュリティセンタは、
前記第１端末から、前記施設および／または該施設の一部に入るための情報を前記第２端末に対して発行するようにとの指示を受信する手段と、
前記第２端末に対して、前記施設および／または該施設の一部に入るための情報を発行する手段とを備え、
前記第２端末は、前記セキュリティセンタから、前記施設および／または該施設の一部に入るための情報の発行を受ける手段を備えたことを特徴とする通信システム。
【請求項４】
第１端末と、第２端末と、施設の監視システムと、前記施設および／または該施設の一部に入るための情報を発行するセキュリティセンタとを備えた通信システムであって、
前記監視システムは、
前記施設の訪問者に関する情報を取得する手段と、
前記第１端末に、前記訪問者に関する情報を送信する手段とを備え、
前記第１端末は、
前記監視システムから、前記訪問者に関する情報を受信する手段と、
前記訪問者に関する情報に基づいて前記訪問者の認証を行う手段と、
前記認証の結果を出力する手段と、
前記セキュリティセンタに、前記施設および／または該施設の一部に入るための情報を前記第２端末に対して発行するようにとの指示を送信する手段とを備え、
前記セキュリティセンタは、
前記第１端末から、前記施設および／または該施設の一部に入るための情報を前記第２端末に対して発行するようにとの指示を受信する手段と、
前記第２端末に対して、前記施設および／または該施設の一部に入るための情報を発行する手段とを備え、
前記第２端末は、前記セキュリティセンタから、前記施設および／または該施設の一部に入るための情報の発行を受ける手段を備えたことを特徴とする通信システム。
【発明の詳細な説明】
【０００１】
【発明の属する技術分野】
本発明は、監視方法、認証方法、情報取得方法、情報送信方法、情報発行方法、端末、携帯端末、監視システム、セキュリティセンタ、通信システム、プログラムおよび記録媒体に関する。
【０００２】
【従来の技術】
近年、携帯端末（携帯電話、ＰＨＳなど）が普及してきており、様々な応用が研究されている。
【０００３】
一方、監視システムを備えた施設（家など）が増えてきている。施設の訪問者は、その施設またはその一部（部屋など）に入るために、例えば電子カギを要求されるような場合も多くなってきている。
【０００４】
【発明が解決しようとする課題】
ここで、例えば訪問者および監視者が携帯端末を持っている場合は多いと考えられるが、従来、各携帯端末、監視システム等が連携されていなかったため、監視等において改善の余地が存在していた。
【０００５】
そこで、携帯端末、監視システム等を連携させて、施設の監視、施設に入るための情報（電子カギなど）の送信等を行うことが考えられる。例えば、携帯端末を用いて遠隔地で施設の監視ができれば便利であると考えられる。
【０００６】
本発明の目的は、施設を監視する方法、施設に入るための情報を送信する方法等を提供することである。
【００２７】
【課題を解決するための手段】
上記目的を達成するために、請求項１に記載の発明は、第１端末と、第２端末と、施設の監視システムと、前記施設および／または該施設の一部に入るための情報を発行するセキュリティセンタとを備えた通信システムにおける情報発行方法であって、前記監視システムにおいて、前記施設の訪問者に関する情報を取得するステップと、前記監視システムから前記第１端末に、前記訪問者に関する情報を送信するステップと、前記第１端末において、前記訪問者に関する情報を出力するステップと、前記第１端末から前記セキュリティセンタに、前記施設および／または該施設の一部に入るための情報を前記第２端末に対して発行するようにとの指示を送信するステップと、前記セキュリティセンタから前記第２端末に対して、前記施設および／または該施設の一部に入るための情報を発行するステップとを備えることを特徴とする。
【００２８】
請求項２に記載の発明は、第１端末と、第２端末と、施設の監視システムと、前記施設および／または該施設の一部に入るための情報を発行するセキュリティセンタとを備えた通信システムにおける情報発行方法であって、前記監視システムにおいて、前記施設の訪問者に関する情報を取得するステップと、前記監視システムから前記第１端末に、前記訪問者に関する情報を送信するステップと、前記第１端末において、前記訪問者に関する情報に基づいて前記訪問者の認証を行うステップと、前記第１端末において、前記認証の結果を出力するステップと、前記第１端末から前記セキュリティセンタに、前記施設および／または該施設の一部に入るための情報を前記第２端末に対して発行するようにとの指示を送信するステップと、前記セキュリティセンタから前記第２端末に対して、前記施設および／または該施設の一部に入るための情報を発行するステップとを備えることを特徴とする。
【００３４】
請求項３に記載の発明は、第１端末と、第２端末と、施設の監視システムと、前記施設および／または該施設の一部に入るための情報を発行するセキュリティセンタとを備えた通信システムであって、前記監視システムは、前記施設の訪問者に関する情報を取得する手段と、前記第１端末に、前記訪問者に関する情報を送信する手段とを備え、前記第１端末は、前記監視システムから、前記訪問者に関する情報を受信する手段と、前記訪問者に関する情報を出力する手段と、前記セキュリティセンタに、前記施設および／または該施設の一部に入るための情報を前記第２端末に対して発行するようにとの指示を送信する手段とを備え、前記セキュリティセンタは、前記第１端末から、前記施設および／または該施設の一部に入るための情報を前記第２端末に対して発行するようにとの指示を受信する手段と、前記第２端末に対して、前記施設および／または該施設の一部に入るための情報を発行する手段とを備え、前記第２端末は、前記セキュリティセンタから、前記施設および／または該施設の一部に入るための情報の発行を受ける手段を備えたことを特徴とする。
【００３５】
請求項４に記載の発明は、第１端末と、第２端末と、施設の監視システムと、前記施設および／または該施設の一部に入るための情報を発行するセキュリティセンタとを備えた通信システムであって、前記監視システムは、前記施設の訪問者に関する情報を取得する手段と、前記第１端末に、前記訪問者に関する情報を送信する手段とを備え、前記第１端末は、前記監視システムから、前記訪問者に関する情報を受信する手段と、前記訪問者に関する情報に基づいて前記訪問者の認証を行う手段と、前記認証の結果を出力する手段と、前記セキュリティセンタに、前記施設および／または該施設の一部に入るための情報を前記第２端末に対して発行するようにとの指示を送信する手段とを備え、前記セキュリティセンタは、前記第１端末から、前記施設および／または該施設の一部に入るための情報を前記第２端末に対して発行するようにとの指示を受信する手段と、前記第２端末に対して、前記施設および／または該施設の一部に入るための情報を発行する手段とを備え、前記第２端末は、前記セキュリティセンタから、前記施設および／または該施設の一部に入るための情報の発行を受ける手段を備えたことを特徴とする。
【００３６】
以上の構成によれば、施設を監視する方法、施設に入るための情報を送信する方法等を提供することができる。
【００３７】
【発明の実施の形態】
以下、図面を参照しつつ本発明の実施の形態について詳しく説明する。
【００３８】
図１は、本実施形態における通信システムの構成例を示す図である。１０は家であり、監視システムを備えている。監視システムには、各種の制御を行う制御部１１、通信の際に用いる通信部１２、インターホン１３、カメラ１４、１５、および電子カギによりロックの解除が可能なドア１６〜１８が含まれる。家１０にはＢさんの部屋が含まれ、ドア１７はＢさんの部屋のドアである。
【００３９】
３１、３２は携帯（通信）端末であり、基地局４１、４２、移動通信用ネットワーク５２、ネットワーク５１等を介して他の端末と通信可能である。携帯端末３１、３２は、携帯電話、ＰＨＳ、またはそれらと携帯型パーソナルコンピュータとの組合せ等の形態をとることができる。本実施形態において、携帯端末３１、３２は、音声の入出力はもちろんのこと、カメラおよびディスプレイを備え、画像の入出力が可能である。なお、図１の例では、携帯端末３１はＡさん所有の携帯端末であり、携帯端末３２はＢさん所有の携帯端末である。
【００４０】
６０はセキュリティセンタであり（より厳密にはセキュリティセンタの端末であり、ワークステーションの形態をとるサーバ等である）、施設（例えば、家１０）および／または該施設の一部に入るための情報（本実施形態においては、電子カギ）を発行する。
【００４１】
７０はＡさんが勤務する管理会社（より厳密には管理会社の端末）である。
【００４２】
以下、管理会社７０に勤務するＡさんが家１０の中にあるＢさんの部屋を訪問する場合を例に監視等のための動作を説明する。なお、監視システム、携帯端末３１、３２、セキュリティセンタ６０、管理会社７０は、自らのメモリ等に格納されたプログラムに従って以下に示すような通信等の動作を行うものとすることができる。また、プログラムは記録媒体（例えば、ＣＤ−ＲＯＭ、磁気ディスク）に書き込んだり、記録媒体から読み出すことが考えられる。
【００４３】
図２は、本実施形態における監視等のための動作の例を示すシーケンス図である。Ａさんが家１０を訪れ、例えばインターホン１３のボタンを押すと、Ａさんの画像（情報）がＢさんの携帯端末３２に送信される（ステップＳ１０）。家１０にＢさん以外の人が住んでいる場合には、Ｂさん以外の人の携帯端末にも画像が送られるようにしてもよい。また、インターホン１３に各住人用のボタンを設けて、押された人の携帯端末にのみ画像を送信するようにしてもよい。Ａさんの画像（映像）はカメラ１４で取得（撮影）してもよいし、インターホン１３にカメラを内蔵して取得してもよい。
【００４４】
本実施形態においては、監視システムから携帯端末３２に画像を送信しているが、携帯端末３１から携帯端末３２に画像を送信するようにすることも考えられる。また、画像に代えて、または画像とともに音声を送信するようにすることもできる。
【００４５】
携帯端末３２はＡさんの画像を受信すると、その画像を出力（表示）する。音声を受信した場合には音声の出力も行う。Ｂさんは、これを見てＡさんの確認（本人認証）を行う（Ｓ２０）。Ｂさんは、例えば自分のオフィスでこの認証を行うことができる。
【００４６】
本実施形態においては、Ｂさんが認証を行っているが、携帯端末３２が自動的に認証を行い、その結果をＢさんに対して表示するようにすることもできる。この場合、監視システムから携帯端末３２に、訪問者（Ａさん）の画像情報、音声情報、バイオメトリックス情報等を送信し、携帯端末３２がこの情報に基づいて認証を行う。携帯端末３２は、認証を行う人（Ａさん等）の画像情報、音声情報、バイオメトリックス情報（指紋の画像情報など）等をあらかじめ記憶しておき、この記憶している情報と受信した情報を比較して認証を行う。
【００４７】
Ｂさんは、Ａさんの認証に問題がなければ、携帯端末３２を介して、セキュリティセンタ６０に、家１０に入るための電子カギおよびＢさんの部屋に入るための電子カギ（ドア１７の電子カギ）をＡさんの携帯端末３１に対して発行するようにとの指示を送信する（Ｓ３０）。Ｂさんの部屋に到達するまでの経路でさらに電子カギが必要な場合には、そのカギも発行するように指示する。指示の送信は、例えばメールを用いて行うことが考えられる。
【００４８】
セキュリティセンタ６０は、指示を受信すると、家１０およびＢさんの部屋に入るための電子カギをＡさんの携帯端末３１に対して発行（送信）する（Ｓ４０）。電子カギの発行は、例えばメールを用いて行うことが考えられる。電子カギは、有効期限のあるものとすることができる。
【００４９】
本実施形態において、Ｂさんは、セキュリティセンタ６０を介してＡさんに電子カギを発行するようにしているが、Ｂさんの携帯端末３２において電子カギを発行するようにすることもできる。
【００５０】
携帯端末３１は、家１０およびＢさんの部屋に入るための電子カギを受信すると、それを表示する。Ａさんは、この電子カギを知ることにより門やドアで操作を行い、家１０やＢさんの部屋に入ることができる。
【００５１】
監視システムは、Ａさんが家１０に入ると（Ｓ５０）、Ａさんが家１０を出るまで、カメラ１５等で取得した家の監視画像を携帯端末３２に送信する（Ｓ６０）。携帯端末３２は、受信した監視画像を表示する。Ｂさんは、この監視画像により監視を行うことができる。本実施形態において、家の監視画像は、管理会社７０にも送信され（Ｓ７０）、表示される。なお、画像とともに音声を送信するようにすることもできる。
【００５２】
監視システムは、Ａさんが異常な動作を行った場合（例えば、電子カギを知らされていないドアに対して、でたらめな電子カギで操作を行った場合）、携帯端末３２および管理会社７０にアラームを発する。
【００５３】
監視システムは、Ａさんが家１０を出ると（Ｓ８０）、その旨を携帯端末３２および管理会社７０に通知する（Ｓ９０、Ｓ１００）。そして、家１０の施錠等を行う（Ｓ１１０）。
【００５４】
以上の説明では、Ｂさんの端末が携帯端末（携帯端末３２）である場合を例に説明したが、Ｂさんの端末は固定の端末であってもよい。
【００５５】
【発明の効果】
以上説明したように本発明によれば、施設を監視する方法、施設に入るための情報を送信する方法等を提供することができる。
【図面の簡単な説明】
【図１】本発明の実施形態における通信システムの構成例を示す図である。
【図２】本発明の実施形態における監視等のための動作の例を示すシーケンス図である。
【符号の説明】
１０  家
１１  制御部
１２  通信部
１３  インターホン
１４、１５  カメラ
１６〜１８  ドア
３１、３２  携帯端末
４１、４２  基地局
５１  ネットワーク
５２  移動通信用ネットワーク
６０  セキュリティセンタ
７０  管理会社
【図１】
0003974350.tif 000002
【図２】
0003974350.tif 000003